(57)【要約】【課題】施解錠操作の向きが分かり易く、摺動操作のストロークも短くし、引戸の開閉時にいちいち手を持ち替えずに１つの動作で施解錠できる引戸用鎌錠を提供する。【解決手段】クランクアーム３０は、鎌２０が施錠姿勢となる第１位置と解錠姿勢となる第２位置間を揺動するクランク角αが狭小な一定角度になるように、回動軸５５と偏心穴２５間に掛け渡す架設距離Ｌを横に長く設定する。引戸Ａを施解錠する場合、手掛け部４７に手を掛けてスライダ４５を、縦向きの鎌出入口１４に対し引戸の開閉方向と同じ施解錠方向へ横にスライドさせると、クランクアーム３０が錠ケース１０内でカムレバー５０の回動軸５５を支点として狭小なクランク角αの範囲で揺動し、その揺動方向に応じ、鎌２０を押し回して施錠姿勢となる施錠位置と解錠姿勢となる解錠位置とに回動変位させる。【選択図】          図１
2010222824.tif 000002
【特許請求の範囲】
【請求項１】
引戸の戸先側の木口から鎌出入口を外部に向け臨ませて引戸に内設する錠ケースと、
前記鎌出入口から先端鎌部が突出する施錠姿勢と前記錠ケース内に引っ込む解錠姿勢とに回動変位可能に、該錠ケース内に横架した鎌軸で吊持し、該鎌軸より前記鎌出入口とは反対側に片寄った位置で頭部に偏心穴を設けた鎌と、
先端部に連結突起を設け、該連結突起を前記偏心穴に係合して前記鎌に連結する一方、基端部に回動軸が回転伝達可能に貫挿する穴形状の軸穴を設け、前記鎌が施錠姿勢となる第１位置と解錠姿勢となる第２位置とに揺動可能に前記回動軸で前記錠ケース内に枢支し、前記鎌の偏心穴と前記回動軸間に縦向きの前記鎌出入口に対して横向きに架設するクランクアームと、
該クランクアームと前記回動軸を介して連結し前記錠ケースに組み付ける引手とを備え、
前記クランクアームは、
前記鎌が施錠姿勢となる第１位置と解錠姿勢となる第２位置間を揺動するクランク角が狭小な一定角度になるように、前記回動軸と前記偏心穴間に掛け渡す架設距離を横に長く設定し、
前記引手は、
内側に嵌合溝を凹設する一方、外側に手掛け部を凸設し、ガイド手段で摺動可能に案内するスライダと、レバー本体の基端に前記回動軸を立設する一方、先端に該回動軸とは反対向きに嵌合突起を立設し、該嵌合突起を前記嵌合溝に嵌めて前記スライダに連結するカムレバーとを備え、前記スライダを、その摺動方向が前記クランクアームの架設方向と一致する引戸開閉方向に合わせて、前記回動軸を、前記クランクアームの軸穴に貫挿して前記カムレバーを前記クランクアームと一体回動可能に連結してなる、引戸用鎌錠。
【請求項２】
前記錠ケースを挟んだ前記引手と反対側から、非常解錠操作するロックオープナーを備え、該ロックオープナーは、非常解錠用のキー溝が刻設された円板部と、該円板部から突出する筒軸部とを有し、該筒軸部には、前記カムレバーの回動軸に合わせて回転伝達可能な穴形状の連結穴を軸方向に穿設し、該連結穴に前記回動軸の先端を嵌合して前記カムレバーおよび前記クランクアームと一体回動可能に連結してなる、請求項１に記載の引戸用鎌錠。
【発明の詳細な説明】
【技術分野】
【０００１】
本発明は、スライダを摺動操作して鎌を回動し、その先端鎌部を引戸の戸先側木口と対向する戸枠側の鎌受け穴に対し係脱させて引戸を施解錠する、引戸用鎌錠に関する。
【背景技術】
【０００２】
従来、引戸用鎌錠の中には、鎌を回動させる外部操作具がサムターンで、そのサムターンの回動操作で鎌を回動し、先端鎌部を鎌出入口から出し入れして引戸を施解錠するサムターン式鎌錠と云われるものがある。しかし、サムターン式鎌錠では、身障者や高齢者にとって、サムターンのツマミを指先で摘んで回動操作することが難しく、使い勝手が悪いことから、最近は、鎌を回動させる外部操作具がスライダで、そのスライダを摺動操作して鎌を回動し、先端鎌部を鎌出入口から出し入れして引戸を施解錠する、例えば以下のようなスライド式鎌錠と云われるものがある。
【０００３】
その従来のスライド式鎌錠は、図１３に示すように、引戸の縦框部に内設した図中上下方向に縦長な錠ケース１の対向側板１ａに、縦長な摺動溝２を設け、更に、対向側板１ａ間に横架した回転軸３で、基端部にＵ状の係着部４ａを有する鎌４を、出没溝１ｂから先端鎌部４ｂが突出する施錠姿勢と錠ケース１内に引っ込む解錠姿勢とに回動変位可能に支持する一方、上端に軸挿通穴５ａを有し、下端に係着軸５ｂを軸支した摺動部材５を、錠ケース１の図中上下の縦向きにスライド可能に収装し、上端の軸挿通穴５ａと摺動溝２に摺動軸６を貫挿し、下端の係着軸５ｂを鎌４の係着部４ａに係止させて、摺動部材５を鎌４に連結し、常時はばね部材７で鎌４を付勢して解錠姿勢とし、施錠時は、引戸を戸枠の縦枠材に戸先側の木口を当てて閉止したとき、不図示の外部操作部に手を掛けて摺動軸６を押し下げ、摺動部材５を下降させると、鎌４が回転軸３を中心に回動して先端鎌部４ｂを出没溝１ｂから突出し、対向する縦枠材側の鎌受け穴に掛け止める構造になっている（特許文献１参照）。
【先行技術文献】
【特許文献】
【０００４】
【特許文献１】特開２００６−１０４６９４号公報
【特許文献２】特開２００６−９２９７号公報
【発明の概要】
【発明が解決しようとする課題】
【０００５】
ところが、従来のスライド式鎌錠では、病院や各種の福祉施設を利用することが多い身障者や高齢者にとって、施解錠操作方向が引戸の左右開閉方向と異なる上下縦向きであることから分りずらく、しかも、摺動操作に必要なストロークが長いことから、操作性が悪いという問題があった。加えて、引戸の開閉時に、引手に手を掛けて引戸をスライド移動させる前後に、その都度、手を鎌錠の外部操作部に持ち替えて摺動部材を摺動させる操作が必要になる結果、引戸の開閉時に必ず２つの動作が必要となって面倒であり、その点でも操作性が悪いという問題があった。
【０００６】
そこで、本発明が解決せんとする課題は、施解錠操作の向きが分かり易く、摺動操作のストロークも短くし、引戸の開閉時にいちいち手を持ち替えずに１つの動作で施解錠できる引戸用鎌錠を提供することにある。
【０００７】
この課題を解決すべく、請求項１に記載の発明は、たとえば以下に示す図示実施の形態のとおり、引戸Ａの戸先側の木口７５から鎌出入口１４を外部に向けて臨ませて引戸Ａに内設する錠ケース１０と、前記鎌出入口１４から先端鎌部２０ｂが突出する施錠姿勢と前記錠ケース１０内に引っ込む解錠姿勢とに回動変位可能に、該錠ケース１０内に横架した鎌軸１５で吊持し、該鎌軸１５より前記鎌出入口１４とは反対側に片寄った位置で頭部２０ａに偏心穴２５を設けた鎌２０と、先端部に連結突起２９を設け、該連結突起２９を前記偏心穴２５に係合して前記鎌２０に連結する一方、基端部に回動軸５５が回転伝達可能に貫挿する穴形状の軸穴３３を設け、前記鎌２０が施錠姿勢となる第１位置と解錠姿勢となる第２位置とに揺動可能に前記回動軸５５で前記錠ケース１０内に枢支し、前記鎌２０の偏心穴２５と前記回動軸５５間に縦向きの前記鎌出入口１４に対して横向きに架設するクランクアーム３０と、該クランクアーム３０と前記回動軸５５を介して連結し前記錠ケース１０に組み付ける引手Ｓとを備え、前記クランクアーム３０は、前記鎌２０が施錠姿勢となる第１位置と解錠姿勢となる第２位置間を揺動するクランク角αが狭小な一定角度になるように、前記回動軸５５と前記偏心穴２５間に掛け渡す架設距離Ｌを横に長く設定し、前記引手Ｓは、内側に嵌合溝４６を凹設する一方、外側に手掛け部４７を凸設し、ガイド手段Ｇで摺動可能に案内するスライダ４５と、レバー本体５１の基端に前記回動軸５５を立設する一方、先端に該回動軸５５とは反対向きに嵌合突起５２を立設し、該嵌合突起５２を前記嵌合溝４６に嵌めて前記スライダ４５に連結するカムレバー５０とを備え、前記スライダ４５を、その摺動方向が前記クランクアーム３０の架設方向と一致する引戸開閉方向に合わせて、前記回動軸５５を、前記クランクアーム３０の軸穴３３に貫挿して前記カムレバー５０を前記クランクアーム３０と一体回動可能に連結してなることを特徴とする。
【０００８】
請求項２に記載の発明は、請求項１に記載の引戸用鎌錠において、たとえば以下に示す図示実施の形態のとおり、前記錠ケース１０を挟んだ前記引手Ｓと反対側から、非常解錠操作するロックオープナー６５を備え、該ロックオープナー６５は、非常解錠用のキー溝６９が刻設された円板部６５ａと、該円板部６５ａから突出する筒軸部６５ｂとを有し、該筒軸部６５ｂには、前記カムレバー５０の回動軸５５に合わせて回転伝達可能な穴形状の連結穴７０を軸方向に穿設し、該連結穴７０に前記回動軸５５の先端を嵌合して前記カムレバー５０および前記クランクアーム３０と一体回動可能に連結してなることを特徴とする。
【発明の効果】
【０００９】
従って、請求項１に記載の発明によれば、引戸を施解錠する場合、手掛け部に手を掛けてスライダを引戸の開閉方向と同じ施解錠方向へ横にスライドさせると、クランクアームは、錠ケース内でカムレバーの回動軸を支点として狭小なクランク角の範囲で揺動し、その揺動方向に応じ、鎌を押し回して施錠姿勢となる施錠位置と解錠姿勢となる解錠位置とに回動変位させることができる。従って、クランクアームは、鎌が施錠位置と解錠位置との間を回動するために必要な揺動ストロークの角度が狭小な角度範囲で足りことになる。すると、クランクアームを、カムレバーで運動変換して揺動させるスライダの摺動ストロークも、クランクアームの狭小な揺動ストロークに対応して短くなり、それ故、本発明の引戸用鎌錠では、スライダの摺動操作に必要なストロークが短くなる分だけ操作性を良好にすることができる。
【００１０】
しかも、請求項１に記載の発明によれば、引戸を施解錠する場合、手掛け部に手を掛けてスライダを引戸の開閉方向と同じ施解錠方向へ横にスライドさせればよく、施解錠操作方向が、習慣的な引戸の開閉方向と同一の左右横向きであることから、施解錠操作の向きが分り易く、この点でも操作性を良好にすることができる。加えて、引戸を施解錠する場合、引手に備えるスライダの手掛け部に手を掛けたまま、スライダを引戸の開閉方向と同じ施解錠方向へ横にスライドさせればよく、そのため、引戸を開閉するために引手に手を掛けて引戸を移動させる際に、いちいち手を鎌錠の外部操作部に持ち替えて施解錠操作を行う必要がなく、引戸の開閉操作と施解錠操作が１つの動作で実現し、その点で、格段に操作性を向上させることができる。
【００１１】
請求項２に記載の発明によれば、引戸の外側から、非常解錠操作して引戸を開けるとき、クランクアームを揺動させるロックオープナーの回動角度がクランクアームの狭小な揺動ストロークに対応して短くなり、それ故に、本発明の引戸用鎌錠では、ロックオープナーの回動操作に必要なストロークが短くなる分だけ、更に、操作性を良好にすることができる。
【図面の簡単な説明】
【００１２】
【図１】引戸用鎌錠を施錠状態で示す正面図である。
【図２】引戸用鎌錠を解錠状態で示す正面図である。
【図３】（Ａ）・（Ｂ）にそれぞれ向きを違えて示す鎌錠本体の組立斜視図である
【図４】（Ａ）鎌錠本体を解錠状態で示す正面図、（Ｂ）鎌錠本体を施錠状態で示す正面図である。
【図５】錠本体の分解斜視図である。
【図６】引手と表示器の分解斜視図である。
【図７】引手の分解斜視図である。
【図８】鎌錠本体の分解斜視図である。
【図９】表示器の分解斜視図である。
【図１０】引戸に組み込み状態の鎌錠本体を、向きを違えて示す斜視図である。
【図１１】鎌受けを戸枠組付状態で示す斜視図である。
【図１２】（Ａ−１）施錠時の引手側の状態を示す正面図、（Ａ−２）解錠時の引手側の状態を示す正面図、（Ｂ−１）施錠時の引手側の状態を示す線Ｂ１−Ｂ１断面図、（Ｂ−２）解錠時の引手側の状態を示す線Ｂ２−Ｂ２断面図、（Ｃ−１）施錠時の表示器の状態を示す正面図、（Ｃ−２）解錠時の表示器の状態を示す正面図である
【図１３】従来の引戸用鎌錠を示す縦断面図である。
【発明を実施するための形態】
【００１３】
以下、図面を参照しつつ、本発明の実施形態について説明する。
【００１４】
図１は、本発明の一例である引戸用鎌錠を引戸に組み込んで施錠状態で示す正面図、図２は、その引戸用鎌錠を解錠状態で示す正面図、図３は、鎌錠本体の組立斜視図である。図示例の引戸用鎌錠は、例えば木製のトイレ用扉の引戸Ａに組み込む鎌錠本体Ｒと、戸枠Ｆの縦枠材８５に取り付ける鎌受けＴとからなる。鎌錠本体Ｒは、その錠本体Ｋと、錠本体Ｋを挟んで片側に組み付ける引手Ｓと、他側に組み付ける表示器Ｄとで構成してなる。
【００１５】
錠本体Ｋは、図４および図５に示すように、錠ケース１０と、錠ケース１０内に組み込んで支持する鎌２０、クランクアーム３０、付勢ばね３５、トリガ４０を備えた構成になっている。
【００１６】
錠ケース１０は、片側を開放した浅底なケース本体１１に蓋板１２を被せて薄箱状に組み立てる。ケース本体１１は、図中左右の横方向一側に長手の取付板１３を接着し、取付板１３の図中上下の縦方向中間に細長い鎌出入口１４を設け、鎌出入口１４の図中下側にトリガ穴１８を設けてなる。底板部１１ａには、横方向一側の図中上方に鎌軸１５を、下側にトリガ軸１６を突設し、横方向他側の上方にばね掛け軸１７を突設する一方、ばね掛け軸１７と隣接する図中上下に１つの異形な嵌合穴１９と２つの丸穴の呼込み軸穴２１・２２を縦に並べて設けてなる。嵌合穴１９は、丸穴部１９ａの周縁を一部扇形に切り欠いて規制穴部１９ｂを設けて全体に鍵穴状に穿設してなる。このケース本体１１には、鎌軸１５近傍のコーナーにクッションゴム３１を固着している。他方、蓋板１２には、ケース本体１１の鎌軸１５、トリガ軸１６、ばね掛け軸１７が嵌着する軸穴２３を設けるほか、ケース本体１１側と同じ嵌合穴１９と２つの丸い呼込み軸穴２１・２２が設けられている。
【００１７】
鎌２０は、回転中心穴２４を有する板状の頭部２０ａと、頭部２０ａからＬ状に延びる先端鎌部２０ｂとからなる。頭部２０ａには、回転中心穴２４より先端鎌部２０ｂとは反対側へ片寄った偏心位置に、径方向に長い偏心穴２５を穿設し、周縁を一部切り欠いて一対の当接凹部２０ｃ・２０ｄを設けてなる。クランクアーム３０は、羽子板状のアーム本体３０ａの先端に連結突起２９を板厚方向片側に向け突設する一方、基端に、円筒突部３２を板厚方向両側に突設している。円筒突部３２は、嵌合穴１９の穴形状に合わせ、丸穴部１９ａに嵌合可能な短筒部３２ａと、短筒部３２ａの周縁から径方向外向きに突出して規制穴部１９ｂに係入可能な係入凸部３２ｂとからなる。短筒部３２ａには、後述するカムレバー５０の回動軸５５に合わせて、回転伝達が可能な断面四角形の軸穴３３を穿設している。トリガ４０は、Ｌ形のトリガ本体４１と、圧縮コイルばねのトリガスプリング４２を備える。トリガ本体４１は、一端側の突端にストッパ部４１ａを形成する一方、他端側には、一端側と直交する長手方向に沿ってばね溝４３を形成すると共に、突端に突当軸４１ｂを突設してなる。
【００１８】
そこで、錠本体Ｋは、鎌２０、クランクアーム３０、付勢ばね３５、トリガ４０をケース本体１１に組み付け、そのケース本体１１に蓋板１２を被せて鎌軸１５と、トリガ軸１６と、ばね掛け軸１７を軸穴２３に嵌着して薄箱な錠ケース１０を組み立て、以下のように、鎌軸１５で鎌２０を、回動軸５５でクランクアーム３０を、トリガ軸１６でトリガ４０をそれぞれ枢支し、付勢ばね３５は、ばね掛け軸１７に装着する。
【００１９】
即ち、鎌２０は、回転中心穴２４に鎌軸１５を通して枢着し、鎌出入口１４から先端鎌部２０ｂが突出する施錠姿勢と錠ケース１０内に引っ込む解錠姿勢とに、略９０度回動変位可能に鎌軸１５で吊持する。
【００２０】
クランクアーム３０は、連結突起２９を偏心穴２５に係合させて鎌２０に連結する一方、円筒突部３２の短筒部３２ａを嵌合穴１９の丸穴部１９ａに嵌合し、係入凸部３２ｂを規制穴部１９ｂに係入し、軸穴３３に貫挿するカムレバー５０の回動軸５５を支点として、所定のクランク角αだけ揺動するように鎌２０の頭部２０ａと回動軸５５間に横向きに掛け渡す。即ち、クランクアーム３０は、回動軸５５を支点としてクランク角αの範囲で揺動すると、その揺動方向に応じて、先端の連結突起２９で鎌２０を押し回し、図４に示すように、鎌２０が施錠姿勢となる第１位置と解錠姿勢となる第２位置間を回動するようになっている。そこで、クランクアーム３０は、鎌２０が施錠姿勢となる施錠位置と解錠姿勢となる解錠位置間の略９０度回動するのに必要なクランク角αを、狭小な、例えば略２０度に設定し、即ち、嵌合穴１９の丸穴部１９ａの中心点Ｐを支点としたクランクアーム３０の揺動ストロークの角度αが略２０度で足りるように錠ケース１０内に架設する。
【００２１】
そのため、錠本体Ｋでは、クランク角αが狭小な角度（略２０度）になるように、クランクアームにおいて、回動軸５５が貫挿する軸穴３３を、先端の連結突起２９から長さ方向に離隔した位置に穿設すると共に、ケース本体１１において、円筒突起１９が嵌合する嵌合穴１９を鎌軸１５から横方向に離隔した位置に穿設し、これにより、軸穴３３に貫挿する回動軸５５と、連結突起２０が係合する鎌２０の偏心穴２５間に掛け渡すクランクアーム３０の架設距離Ｌを横に長く形成する。一方、嵌合穴１９は、クランクアーム３０の係入凸部３２ｂが係入する規制穴部１９ａを、クランク角αが狭小な略２０度の角度範囲に常に規制されるように、それに対応する開き角度の扇形に穿設する。
【００２２】
付勢ばね３５は、ねじりコイルばねで、コイル部をばね掛け軸１７に係着して一端ばね部を後側壁１１ｂに掛け止め、他端ばね部をクランクアーム３０に掛け止めて、クランクアーム３０を、常時、図４（Ａ）に示すように、鎌２０が解錠姿勢をなる第２位置に回動付勢している。
【００２３】
トリガ４０は、トリガ本体４１を、突当軸４１ｂをトリガ穴１８に向けてケース本体１１の下側壁１１ｃ上にスライド自在に載置し、トリガ軸１６を、ばね溝４３内に係入したトリガスプリング４２の一端のフック４２ａに係合して錠ケース１０内に組み込み、常時はトリガスプリング４２のばね付勢力で突当軸４１ｂをトリガ穴１８から突出させる一方、ストッパ部４１ａを先端鎌部２０ｂに掛止させて鎌２０の回動を規制し、先端鎌部２０ｂが錠ケース１０内に引っ込んだ解錠姿勢を保持して鍵出入口１４から突出するのを防止する。そのとき、鎌２０には、当接凹部２０ｃにクッションゴム３１が当っている。従って、引戸Ａの閉止時に、トリガ４０の突当軸４１ｂが戸枠Ｆの戸先側縦枠材８５に突き当り、トリガスプリング４２に抗し規制解除位置にスライド移動すると、ストッパ部４１ａの先端鎌部２０ｂに対する掛け止めが外れて鎌２０の回動規制が解除されるようになっている。
【００２４】
引手Ｓは、図６および図７に示すように、スライダ４５と、カムレバー５０と、スライダ４５のガイド手段Ｇとを備える。スライダ４５は、図中上下に縦長な外形をなし、内側には、長さ方向に沿って断面半円状の嵌合溝４６を凹設する一方、外側には、そこを反対に隆起させて断面半円状の手掛け部４７を凸設してなる。嵌合溝４６の上下両端には、雌ねじ穴４５ａが螺設されている。カムレバー５０は、長手板状のレバー本体５１の基端にそれと直交する向きに回動軸５５を立設する一方、先端に回動軸５５とは反対向きに嵌合突起５２を立設してなる。回動軸５５は、四角形の角軸からなり、基部に円形の環状溝５５ａを周方向に形成してなる。ガイド手段Ｇは、ガイドケース４８と、中心にねじ挿穴４９ａを有するガイド駒４９・４９を備える。ガイドケース４８は、縦長矩形の本体板部４８ａに、スライダ４５の長さに合わせて縦長の矩形状で、片側開放の浅底なガイド凹部５９を設け、ガイド凹部５９の底板部５９ａの上下両端に一対の横長矩形なガイド穴５６・５７を設けると共に、下段のガイド穴５７の上側に丸い軸受穴６０を穿設している。尚、本体板部４８ａの上下両端には、呼込みスタッド５４・５４を立設している。
【００２５】
そこで、引手Ｓは、スライダ４５の嵌合溝４６にカムレバー５０の嵌合突起５２を嵌着してスライダ４５にカムレバー５０を連結する。カムレバー５０は、回動軸５５の環状溝５５ａを、止め輪４４を介して軸受穴６０に係合させてガイドケース４８で回動自在に軸支する。ガイド手段Ｇは、ガイドケース４８のガイド凹部５９内にスライダ４５を嵌入し保持する。ガイドケース４８には、ガイド穴５６・５７にガイド駒４９・４９をスライド自在に係着し、各ガイド駒４９・４９のねじ挿通穴４９ａに固定ネジ６１を通してスライダ４５の雌ねじ穴４５ａ・４５ａにねじ込んでスライダ４５にガイド駒４９を固定し、ガイド駒４９の案内で、スライダ４５をガイド凹部５９内で横方向左右に摺動自在にガイドケース４８に組み付けて、引手Ｓを組み立てる。
【００２６】
表示器Ｄは、図８および図９に示すように、表示器本体６３と、表示板６４と、ロックオープナー６５と、表示カバー６６を備える。表示器本体６３は、図中上下に縦長な矩形板で、中央に軸貫通穴６７を設けると共に、軸貫通穴６７の周りに浅い嵌付凹部６３ａを形成してなる。嵌付凹部６３ａは、中心に軸貫通穴６７が貫通する円形部位と、扇形の回動規制部位６８とで全体を瓢箪形状に似た形に凹設されてなる。回動規制部位６８は、錠ケース１０に有する嵌合穴１９の規制穴部１９ａと同様に、クランクアーム３０のクランク角αと対応する開き角度の扇形に凹設してなる。表示板６４は、Ｕ字型の挟持部６４ａと先端に向け次第に幅広となる表示部６４ｂとで、全体を略Ｙ形に形成してなる。表示部６４ｂの表面には、例えば使用中（施錠中）を示す、例えば赤色の着色が施されている。ロックオープナー６５は、円板部６５ａと、円板部６５ａから突出する筒軸部６５ｂとからなる。円板部６５ａには、非常解錠用のキー溝６９が刻設されている。筒軸部６５ｂには、引手Ｓ側のカムレバー５０の回動軸５５に合わせて、回転伝達可能な四角形の角穴からなる連結穴７０を軸方向に穿設し、外周には平面のカット面６５ｃを形成してなる。表示カバー６６は、表示板６４の表示部６４ｂの形状に合わせた穴形状に開けた表示窓７１と、ロックオープナー６５の円板部６５ａに合わせて丸穴状の操作用窓７２を設けてなる。
【００２７】
そこで、表示器Ｄは、筒軸部６５ｂのカット面６５ｃを挟持部６４ａで挟んで表示板６４をロックオープナー６５に装着してから、ロックオープナー６５の筒軸部６５ｂを表示器本体６３の軸貫通穴６７に貫挿し、表示板６４を、嵌付凹部６３ａに嵌め付けてロックオープナー６５と一体に回動可能に表示器本体６３に組み付け、表示器本体６３に表示カバー６６を被せて組み立てる。表示カバー６６は、錠本体Ｋに表示器本体６３を組み付けた後で、表示器本体６３に被せる。
【００２８】
斯かる表示器Ｄおよび引手Ｓを、図３に示すように錠本体Ｋに組み付けると、以下のように引戸内に組み込む鎌錠本体Ｒが組み立てられる。なお、図１および図２に示すように鎌錠本体Ｒを組み込む引戸Ａは、予め、錠本体Ｋの外形状に合わせて、戸先側の木口７５から戸尻側に向けて縦穴７６が穿設され、一方、縦穴７６に連通するように、図中手前の内側板面７７に引手Ｓの外形状に合わせて取付穴が穿設され、外側板面には、表示器Ｄの外形状に合わせて嵌込み穴が穿設されている。そこで、錠本体Ｋは、縦穴７６に差し込んで引戸Ａに組み込み、鎌出入口１４を外部に臨ませて取付板１３を木口７５にねじ止めする。
【００２９】
一方、引手Ｓは、スライダ４５を、その摺動方向がクランクアーム３０の錠ケース１０内での架設方向と一致する図中左右の横向き、即ち、引戸Ａの開閉方向に合わせてから、内側板面７７の取付穴に、図６〜図９に示すようにガイドケース４８を嵌め込み、回動軸５５を、錠ケース１０内でクランクアーム３０の軸穴３３に貫挿し、カムレバー５０をクランクアーム３０と一体回動可能に連結して内側板面７７に装着する。
【００３０】
他方、表示器Ｄは、外側板面の嵌込み穴に表示器本体６３を嵌め込み、錠ケース１０内でロックオープナー６５の筒軸部６５ｂの連結穴７０にカムレバー５０の回動軸５５の先端を嵌合させる。併せて、外側板面から、呼込みネジ７９を表示器本体６３のねじ挿通穴に通して呼込みスタッド５４にねじ込み、表示器本体６３とガイドケース４８を引戸Ａの両板面に固定し、これにより、引手Ｓのスライダ４５に連結したカムレバー５０と、表示器Ｄ側の表示板６４を挟持したロックオープナー６５とを、錠ケース１０内のクランクアーム３０と一体に回動可能に連結して引手Ｓと表示器Ｄとを錠本体Ｋに組み付け、これにより、鎌錠本体Ｒとして、図１０に示すように引戸Ａに組み込まれてなる。
【００３１】
一方、鎌受けＴは、図１１に示すように、縦長な鎌受け凹部８１を有し、引戸が閉止位置にあるとき、鎌錠本体Ｒの鎌出入口１４と対向する高さ位置において、鎌受け凹部８１の鎌受け口８０を手前に向けて戸枠Ｆの戸先側縦枠材８５にねじ止めしてなる。
【００３２】
さて、図示鎌錠では、図２に示すように、開いた引戸Ａを引いて閉止するとき、スライダ４５の手掛け部４７に手を掛けて引戸Ａを閉方向Ｘへ横にスライド移動し、図１に示すように、戸枠Ｆの縦枠材８５に戸先側の木口７５が当って閉止すると、錠本体Ｋでは、トリガ４０の突当軸４１ｂが戸枠Ｆの戸先側縦枠材８５に突き当り、トリガスプリング４２に抗して規制解除位置にスライド移動すると、ストッパ部４１ａの先端鎌部２０ｂに対する掛け止めが外れて、鎌２０の回動規制が解除される。そこで、この閉時、内側から引戸Ａを施錠するときは、手掛け部４７に手を掛けたまま、図１２（Ａ−１）・（Ｂ−１）でも示すように、スライダ４５を閉方向と同じ施錠方向Ｘへ横に摺動させる。スライダ４５が施錠方向Ｘに摺動すると、スライダ４５の嵌合溝４６に嵌合突起５２が嵌合したカムレバー５０によりスライダ４５の直線運動が回転運動に変換され、回動軸５５を図中反時計方向に角度α回動する。すると、クランクアーム３０が回動軸５５と一体に支点Ｐを中心として第１位置から第２位置へクランク角αだけ揺動し、偏心穴２５に係合した連結突起２９で鎌２０を押し回して施錠姿勢とし、鎌出入口１４から先端鎌部２０ｂを突出させて鎌受けＴの鎌受け凹部８１に掛け止め、これにより、引戸Ａを施錠する。そのとき、鎌２０には、図１に示すように、クッションゴム３１が当接凹部２０ｄに当ってクッションになっている。
【００３３】
反対に、図示鎌錠で施錠した引戸Ａを開ける場合は、スライダ４５の手掛け部４７に手を掛けて、引戸Ａを開方向Ｙへ横にスライド移動させようとする。すると、同時に、スライダ４５も、図１２（Ａ−２）・（Ｂ−２）でも示すように、開方向と同じ解錠方向Ｙに摺動する。スライダ４５の嵌合溝４６に嵌合突起５２が嵌合したカムレバー５０によりスライダ４５の直線運動が回転運動に変換され、回動軸５５を図中時計方向に角度α回動する。すると、クランクアーム３０が、付勢ばね３５の付勢力と相俟って、回動軸５５と一体に、支点Ｐを中心として第２位置から第１位置へクランク角αだけ揺動し、偏心穴２５に係合した連結突起２９で鎌２０を押し回して解錠姿勢とし、先端鎌部２０ｂの鎌受けＴの鎌受け凹部８１との掛け止めを外して錠ケース１０内に引っ込め、これにより、引戸Ａを解錠する。そのとき、鎌２０には、図２に示すように、クッションゴム３１が当接凹部２０ｃに当ってクッションになっている。次いで、スライダ４５の手掛け部４７に手を掛けたまま、引戸Ａを解錠方向と同じ開方向Ｙへ横にスライド移動させて開ける。
【００３４】
このように引戸Ａを施解錠する場合、図示鎌錠では、手掛け部４７に手を掛けてスライダ４５を引戸Ａの開閉方向と同じ施解錠方向へ横にスライドさせると、クランクアーム３０は、錠ケース１０内でカムレバー５０の回動軸５５を支点として狭小なクランク角αの範囲で揺動し、すると、その揺動方向に応じ、鎌２０を押し回して施錠姿勢となる施錠位置と解錠姿勢となる解錠位置とに回動変位させることができる。従って、図示鎌錠では、クランクアーム３０は、鎌２０が施錠位置と解錠位置との間を回動するのに必要な揺動ストロークの角度αが狭小な略２０度で足りる。すると、クランクアーム３０を、カムレバー５０で運動変換して揺動させるスライダ４５の摺動ストロークも、クランクアーム３０の狭小な揺動ストロークαに対応して短くなり、それ故に、図示鎌錠では、スライダ４５の摺動操作に必要なストロークが短くなる分だけ操作性を良好にすることができる。
【００３５】
しかも、図示鎌錠では、引戸Ａを施解錠する場合、手掛け部４７に手を掛けてスライダ４５を引戸Ａの開閉方向と同じ施解錠方向へ横にスライドさせればよく、施解錠操作方向が、習慣的な引戸Ａの開閉方向と同一の左右横向きであることから、施解錠操作の向きが分り易く、この点でも操作性を良好にすることができる。加えて、引戸Ａを施解錠する場合、引手Ｓに備えるスライダの手掛け部４７に手を掛けたまま、スライダ４５を引戸Ａの開閉方向と同じ施解錠方向へ横にスライドさせればよく、そのため、引戸を開閉するために引手に手を掛けて引戸を移動させる際に、いちいち手を鎌錠の外部操作部に持ち替えて施解錠操作を行う必要がなく、引戸の開閉操作と施解錠操作を１つの動作で実現し、その点で、格段に操作性を向上させることができる。
【００３６】
また、図示鎌錠では、引戸Ａの開閉時、手掛け部４７に手を掛けてスライダ４５を施解錠方向へ横にスライドさせて引戸Ａを施解錠するとき、同時に、図１２（Ｃ−１）・（Ｃ−２）に示すように、スライダ４５に連結したカムレバー５０の回動軸５５と一体に表示板６４が正逆方向に回動する。すると、表示板６４の正逆回動方向に応じて、表示窓７１から表示板６４の表示部６４ｂが切り替え表示され、これにより、引戸Ａの施解錠状態を外部に表示する。一方、非常時に、引戸Ａが施錠状態にある場合に、例えば異常事態が発生したために解錠して外側から引戸Ａを開けたいときは、コイン等を用いて、これを非常解錠操作用のキー溝６９に係止してロックオープナー６５を回動する。すると、カムレバー５０の回動軸５５が一体に回動し、回動軸５５と一体にクランクアーム３０が第２位置から第１位置へクランク角αだけ揺動し、鎌２０を押し回して解錠姿勢とし、先端鎌部２０ｂが鎌受けＴの鎌受け凹部８１から外れる。こうして引戸Ａを非常解錠することができる。引戸Ａの外側から、こうして非常解錠操作して引戸Ａを開けるときでも、クランクアーム３０を揺動させるロックオープナー６５の回動角度がクランクアーム３０の狭小な揺動ストロークαに対応して短くなり、それ故に、図示鎌錠では、ロックオープナー６５の回動操作に必要なストロークが短くなる分だけ、更に、操作性を良好にすることができる。
【符号の説明】
【００３７】
Ａ                引戸
Ｄ                表示器
Ｆ                戸枠
Ｇ                ガイド手段
Ｌ                架設距離
Ｒ                鎌錠本体
Ｓ                引手
Ｔ                鎌受け
Ｘ                閉方向（施錠方向）
Ｙ                開方向（解錠方向）
α                クランク角
１０              錠ケース
１４              鎌出入口
１５              鎌軸
２０              鎌
２０ｂ            先端鎌部
２５              偏心穴
３０              クランクアーム
３３              軸穴
３５              付勢ばね
４０              トリガ
４５              スライダ
４８              ガイドケース
５０              カムレバー
５５              回動軸
６０              軸受穴
６５              ロックオープナー
【図１】
2010222824.tif 000003
【図２】
2010222824.tif 000004
【図３】
2010222824.tif 000005
【図４】
2010222824.tif 000006
【図５】
2010222824.tif 000007
【図６】
2010222824.tif 000008
【図７】
2010222824.tif 000009
【図８】
2010222824.tif 000010
【図９】
2010222824.tif 000011
【図１０】
2010222824.tif 000012
【図１１】
2010222824.tif 000013
【図１２】
2010222824.tif 000014
【図１３】
2010222824.tif 000015